(57)【要約】【課題】飛散したトナーを回収するためのトナー貯留部やトナー貯留部を含むユニットの使用可能時間をより長くする。【解決手段】画像形成装置１は、現像部３３から飛散したトナーを含む空気からトナーを遠心分離するサイクロン部と、サイクロン部により分離されたトナーを貯留するトナー貯留部１１３と、サイクロン部によりトナーが分離された後の空気を通すフィルター部と、フィルター部を通った空気を排出するために空気の流れを発生させる現像吸引用ファン８２と、トナー貯留部１１３を加熱する電源２００（加熱源）と、を備える。【選択図】図１
2020187283.tif 000002
【特許請求の範囲】
【請求項１】
飛散したトナーを含む空気を吸引するダクトと、
前記ダクトに連通し、前記トナーを含む空気からトナーを遠心分離するサイクロン部と、
前記サイクロン部により分離されたトナーを貯留するトナー貯留部と、
前記サイクロン部によりトナーが分離された後の空気を通すフィルター部と、
前記ダクトから前記フィルター部に亘る空気の流れを発生させるファンと、
前記トナー貯留部を加熱する加熱源と、
を備える画像形成装置。
【請求項２】
前記加熱源は、前記トナー貯留部の下側に配置されている請求項１に記載の画像形成装置。
【請求項３】
前記加熱源として、前記画像形成装置の電源を用いる請求項１又は２に記載の画像形成装置。
【請求項４】
前記加熱源として用いる電源は、前記画像形成装置の動作時に常時稼働しているユニットの電源である請求項３に記載の画像形成装置。
【請求項５】
前記加熱源として用いる電源は、前記ファンの電源である請求項３に記載の画像形成装置。
【請求項６】
前記ファンの回転速度に応じて、前記加熱源の温度を変更する温度変更部を備える請求項１から５のいずれか一項に記載の画像形成装置。
【請求項７】
前記加熱源と前記トナー貯留部との間に、前記加熱源の熱を拡散して伝えるための拡散部品が配置されている請求項１から６のいずれか一項に記載の画像形成装置。
【請求項８】
前記サイクロン部は、円筒状に形成されており、前記トナー貯留部側の開口部に向けて、当該サイクロン部の内径が小さくなっていくように形成されている請求項１から７のいずれか一項に記載の画像形成装置。
【請求項９】
前記サイクロン部、前記トナー貯留部及び前記フィルター部は、トナー捕集ユニットとして一体に構成されており、
前記ファンは、前記トナー貯留部の近傍であって、前記トナー捕集ユニットの前記サイクロン部とは反対側の側面に設けられている請求項１から８のいずれか一項に記載の画像形成装置。
【請求項１０】
前記サイクロン部、前記トナー貯留部及び前記フィルター部は、トナー捕集ユニットとして一体に構成されており、
前記トナー貯留部は、前記トナー捕集ユニットに対して着脱可能に構成されている請求項１から９のいずれか一項に記載の画像形成装置。
【請求項１１】
感光体を帯電させる帯電部と、
前記帯電部において発生したオゾンを含む空気からオゾンを除去するために空気の流れを導くオゾン経路と、
を備え、
前記オゾン経路は、前記トナー貯留部の下側、かつ、前記加熱源の上側に配置されている請求項１から１０のいずれか一項に記載の画像形成装置。
【請求項１２】
前記トナー貯留部の底面積は、前記サイクロン部、前記フィルター部それぞれの底面積より大きい請求項１から１１のいずれか一項に記載の画像形成装置。
【請求項１３】
前記加熱源の底面積は、前記トナー貯留部の底面積より大きい請求項１から１２のいずれか一項に記載の画像形成装置。
【発明の詳細な説明】
【技術分野】
【０００１】
本発明は、画像形成装置に関する。
【背景技術】
【０００２】
従来、トナーを用いて用紙に画像を形成する電子写真方式の画像形成装置が知られている。このような画像形成装置において、現像部で発生した飛散トナーを吸引してサイクロン部により遠心分離することでトナーをトナー貯留部に回収し、遠心分離できなかったトナーをフィルターで捕集するものが利用されている（特許文献１参照）。
【先行技術文献】
【特許文献】
【０００３】
【特許文献１】特開２０１７−９０６４５号公報
【発明の概要】
【発明が解決しようとする課題】
【０００４】
しかしながら、近年、画像形成装置の生産性の向上に伴い、トナー貯留部にトナーが早く溜まるようになり、トナー貯留部の交換頻度が高くなるという問題があった。そのため、トナー貯留部やトナー貯留部を含むユニットを、より長く使用可能とすることが望まれている。
トナー貯留部のサイズを大きくすれば、トナー貯留部の使用可能時間は長くなるが、装置自体の省スペース化の要望も高まっているため、トナー貯留部のサイズを大きくすることは難しい。
【０００５】
本発明は、上記の従来技術における問題に鑑みてなされたものであって、飛散したトナーを回収するためのトナー貯留部やトナー貯留部を含むユニットの使用可能時間をより長くすることを課題とする。
【課題を解決するための手段】
【０００６】
上記課題を解決するために、請求項１に記載の発明は、飛散したトナーを含む空気を吸引するダクトと、前記ダクトに連通し、前記トナーを含む空気からトナーを遠心分離するサイクロン部と、前記サイクロン部により分離されたトナーを貯留するトナー貯留部と、前記サイクロン部によりトナーが分離された後の空気を通すフィルター部と、前記ダクトから前記フィルター部に亘る空気の流れを発生させるファンと、前記トナー貯留部を加熱する加熱源と、を備える画像形成装置である。
【０００７】
請求項２に記載の発明は、請求項１に記載の画像形成装置において、前記加熱源は、前記トナー貯留部の下側に配置されている。
【０００８】
請求項３に記載の発明は、請求項１又は２に記載の画像形成装置において、前記加熱源として、前記画像形成装置の電源を用いる。
【０００９】
請求項４に記載の発明は、請求項３に記載の画像形成装置において、前記加熱源として用いる電源は、前記画像形成装置の動作時に常時稼働しているユニットの電源である。
【００１０】
請求項５に記載の発明は、請求項３に記載の画像形成装置において、前記加熱源として用いる電源は、前記ファンの電源である。
【００１１】
請求項６に記載の発明は、請求項１から５のいずれか一項に記載の画像形成装置において、前記ファンの回転速度に応じて、前記加熱源の温度を変更する温度変更部を備える。
【００１２】
請求項７に記載の発明は、請求項１から６のいずれか一項に記載の画像形成装置において、前記加熱源と前記トナー貯留部との間に、前記加熱源の熱を拡散して伝えるための拡散部品が配置されている。
【００１３】
請求項８に記載の発明は、請求項１から７のいずれか一項に記載の画像形成装置において、前記サイクロン部は、円筒状に形成されており、前記トナー貯留部側の開口部に向けて、当該サイクロン部の内径が小さくなっていくように形成されている。
【００１４】
請求項９に記載の発明は、請求項１から８のいずれか一項に記載の画像形成装置において、前記サイクロン部、前記トナー貯留部及び前記フィルター部は、トナー捕集ユニットとして一体に構成されており、前記ファンは、前記トナー貯留部の近傍であって、前記トナー捕集ユニットの前記サイクロン部とは反対側の側面に設けられている。
【００１５】
請求項１０に記載の発明は、請求項１から９のいずれか一項に記載の画像形成装置において、前記サイクロン部、前記トナー貯留部及び前記フィルター部は、トナー捕集ユニットとして一体に構成されており、前記トナー貯留部は、前記トナー捕集ユニットに対して着脱可能に構成されている。
【００１６】
請求項１１に記載の発明は、請求項１から１０のいずれか一項に記載の画像形成装置において、感光体を帯電させる帯電部と、前記帯電部において発生したオゾンを含む空気からオゾンを除去するために空気の流れを導くオゾン経路と、を備え、前記オゾン経路は、前記トナー貯留部の下側、かつ、前記加熱源の上側に配置されている。
【００１７】
請求項１２に記載の発明は、請求項１から１１のいずれか一項に記載の画像形成装置において、前記トナー貯留部の底面積は、前記サイクロン部、前記フィルター部それぞれの底面積より大きい。
【００１８】
請求項１３に記載の発明は、請求項１から１２のいずれか一項に記載の画像形成装置において、前記加熱源の底面積は、前記トナー貯留部の底面積より大きい。
【発明の効果】
【００１９】
本発明によれば、飛散したトナーを回収するためのトナー貯留部やトナー貯留部を含むユニットの使用可能時間をより長くすることができる。
【図面の簡単な説明】
【００２０】
【図１】本発明の実施形態における画像形成装置の全体構成を示す概略図である。
【図２】画像形成装置の機能的構成を示すブロック図である。
【図３】トナー捕集ユニットを模式的に示す図である。
【図４】トナー貯留部、サイクロン部及びフィルター部の配置を模式的に示す上面図である。
【図５】トナー貯留部及び電源の配置を模式的に示す上面図である
【図６】変形例２におけるトナー捕集ユニット周辺の構成を示す図である。
【発明を実施するための形態】
【００２１】
以下、図面を参照して、本発明の実施形態について説明する。ただし、発明の範囲は、図示例に限定されない。
【００２２】
図１は、本発明の実施形態における画像形成装置１の全体構成を示す概略図である。また、図２は、画像形成装置１の機能的構成を示すブロック図である。
【００２３】
画像形成装置１は、電子写真方式により用紙に画像を形成するものであり、イエロー（Ｙ）、マゼンタ（Ｍ）、シアン（Ｃ）、及びブラック（Ｋ）の４色のトナーを重ね合わせるタンデム形式のカラー画像形成装置である。
【００２４】
画像形成装置１は、外装を形成する略直方体状の装置本体部１Ａを有し、この装置本体部１Ａには、用紙収納部１０と、画像読取部２０と、画像形成部３０と、定着部４０と、制御部５０と、記憶部６０と、操作表示部７０と、トナー捕集ユニット１００と、現像吸引用ファン８２と、オゾン用ファン９２と、電源２００とが設けられている。
【００２５】
用紙収納部１０は、画像形成装置１の下部に配置されており、用紙のサイズや種類に応じた複数のトレイ１１が設けられている。用紙は、トレイ１１から給紙されて搬送部１２に送られ、搬送部１２によって画像形成部３０及び定着部４０に搬送される。
【００２６】
画像読取部２０は、図示しない原稿搬送部により搬送された原稿又は原稿台２１に載置された原稿の画像を読み取って、画像データを生成する。また、画像読取部２０は、Ａ／Ｄ変換によって作成された画像データに、シェーディング補正やディザ処理、圧縮等の処理を施し、制御部５０に出力する。
なお、画像形成に用いる画像データは、画像読取部２０から出力されるデータに限定されず、画像形成装置１に接続されたパーソナルコンピューター等の外部装置から受信したものであってもよい。
【００２７】
画像形成部３０は、画像データに基づいて用紙に画像形成を行う。
画像形成部３０は、Ｙ、Ｍ、Ｃ及びＫの色成分に各々対応する４組の画像形成ユニット３０Ｙ，３０Ｍ，３０Ｃ，３０Ｋと、中間転写ベルト３４と、１次転写部３５と、２次転写ローラー３６とを備えている。
【００２８】
画像形成ユニット３０Ｙ，３０Ｍ，３０Ｃ，３０Ｋの各々は、ドラム状の感光体３１、この感光体３１の周囲に配置された帯電部３２、露光部（図示せず）、現像部３３及びクリーニング部（図示せず）等を有している。
【００２９】
帯電部３２は、感光体３１の表面を一様に帯電させる。露光部は、帯電された感光体３１上にレーザー光を照射、露光することにより、感光体３１上に静電潜像を形成する。現像部３３は、露光された感光体３１上に所定の色（Ｙ、Ｍ、Ｃ及びＫのいずれか）のトナーを供給し、感光体３１上に形成された静電潜像を現像する。
トナーは、高分子樹脂、ワックス、顔料等から構成されている。トナーの融点は、例えば、約４０℃である。
【００３０】
Ｙ、Ｍ、Ｃ及びＫに対応する４つの感光体３１上に各々Ｙ、Ｍ、Ｃ及びＫのトナーで形成された画像（単色画像）は、各感光体３１から中間転写ベルト３４に転写される。中間転写ベルト３４は、複数の搬送ローラーに巻き回された無端ベルトであり、各搬送ローラーの回転に従って回転する。
中間転写ベルト３４の内周側における画像形成ユニット３０Ｙ，３０Ｍ，３０Ｃ，３０Ｋの各感光体３１と対向する位置には、１次転写部３５が設けられている。この１次転写部３５は、中間転写ベルト３４にトナーと反対の極性の電圧を印加することで、感光体３１上に付着したトナーを中間転写ベルト３４に転写させる。
【００３１】
中間転写ベルト３４の表面には、４つの画像形成ユニット３０Ｙ，３０Ｍ，３０Ｃ，３０Ｋで形成されたトナー像が順次転写される。すなわち、中間転写ベルト３４上には、Ｙ、Ｍ、Ｃ及びＫを色成分とするトナー像が重なり合い、カラー画像が形成される。
【００３２】
中間転写ベルト３４の外周側にて対向する位置に２次転写ローラー３６が配設されている。この２次転写ローラー３６と中間転写ベルト３４とが接触するニップ部が転写位置であり、２次転写ローラー３６は、搬送部１２によって搬送されてきた用紙を中間転写ベルト３４に接触させて、中間転写ベルト３４の外周面上に形成されているトナー像を用紙に転写する。
【００３３】
２次転写ローラー３６における用紙の排出側には、定着部４０が設けられている。
定着部４０は、加熱ローラー及び加圧ローラーからなる一対のローラーを備えている。用紙は、当該一対のローラーのニップ部を通ることにより熱と圧力が加えられ、用紙上に転写されたトナー像が溶融定着する。
【００３４】
また、４つの画像形成ユニット３０Ｙ，３０Ｍ，３０Ｃ，３０Ｋの各現像部３３近傍には、それぞれ現像吸引ダクト８０が配設されている。つまり、４つの画像形成ユニット３０Ｙ，３０Ｍ，３０Ｃ，３０Ｋに対応して４つの現像吸引ダクト８０が設けられている。各現像吸引ダクト８０は、対応する画像形成ユニット３０Ｙ，３０Ｍ，３０Ｃ，３０Ｋの現像部３３から飛散したトナーを含むトナー含有空気を吸引する。図１中において、トナー含有空気の流れを模式的に一点鎖線の矢印で表している。
【００３５】
４つの現像吸引ダクト８０は、それぞれ現像共通ダクト８１に接続されている。現像共通ダクト８１は、上下方向に延びる中空の直方体状に形成され、４つの現像吸引ダクト８０からトナー捕集ユニット１００にトナー含有空気を導く役割を具備している。
【００３６】
現像共通ダクト８１の４つの画像形成ユニット３０Ｙ，３０Ｍ，３０Ｃ，３０Ｋと対向する側面には、現像吸引ダクト８０を接続可能な４つの連通口（図示せず）が設けられている。一方、現像共通ダクト８１の４つの画像形成ユニット３０Ｙ，３０Ｍ，３０Ｃ，３０Ｋと対向する側と反対側には、トナー捕集ユニット１００の流入口１１１（図３参照）が接続される接続口８１ａが設けられている。
【００３７】
現像共通ダクト８１から流入し、トナー捕集ユニット１００を通った空気を導く経路の先には、現像吸引用ファン８２が配設されている。現像吸引用ファン８２は、現像吸引ダクト８０及び現像共通ダクト８１からトナー捕集ユニット１００の内部を経て画像形成装置１の外部に排出される空気の流れを発生させる。現像吸引用ファン８２としては、シロッコファン、プロペラファン等が用いられる。
また、現像吸引用ファン８２は、回転速度（単位時間あたりの回転数）を算出するためのパルス信号を制御部５０に出力する。
【００３８】
また、４つの画像形成ユニット３０Ｙ，３０Ｍ，３０Ｃ，３０Ｋの各帯電部３２近傍には、それぞれ帯電吸引ダクト９０が配設されている。つまり、４つの画像形成ユニット３０Ｙ，３０Ｍ，３０Ｃ，３０Ｋに対応して４つの帯電吸引ダクト９０が設けられている。各帯電吸引ダクト９０は、対応する画像形成ユニット３０Ｙ，３０Ｍ，３０Ｃ，３０Ｋの帯電部３２において発生したオゾンを含むオゾン含有空気を吸引する。図１中において、オゾン含有空気の流れを模式的に二点鎖線の矢印で表している。
【００３９】
４つの帯電吸引ダクト９０は、それぞれ帯電共通ダクト９１に接続されている。帯電共通ダクト９１は、４つの帯電吸引ダクト９０からトナー捕集ユニット１００にオゾン含有空気を導く役割を具備している。
【００４０】
帯電共通ダクト９１から流入し、トナー捕集ユニット１００を通った空気を導く経路の先には、オゾン用ファン９２が配設されている。オゾン用ファン９２は、帯電吸引ダクト９０及び帯電共通ダクト９１からトナー捕集ユニット１００の内部を経て画像形成装置１の外部に排出される空気の流れを発生させる。オゾン用ファン９２としては、シロッコファン、プロペラファン等が用いられる。
【００４１】
制御部５０は、ＣＰＵ（Central Processing Unit）、ＲＡＭ（Random Access Memory）等により構成される。制御部５０のＣＰＵは、記憶部６０に記憶されているシステムプログラムや処理プログラム等の各種プログラムを読み出してＲＡＭに展開し、展開されたプログラムに従って、各種処理を実行する。
【００４２】
記憶部６０は、ＨＤＤ（Hard Disk Drive）や不揮発性の半導体メモリー等で構成されている。
記憶部６０には、制御部５０で実行されるシステムプログラムや処理プログラムを始めとする各種プログラム、これらのプログラムの実行に必要なデータが記憶されている。
【００４３】
操作表示部７０は、表示画面を備え、画面上に各種情報の表示を行う表示部７１、及びユーザーによる各種指示の入力に使用される操作部７２を備えている。
【００４４】
トナー捕集ユニット１００（サイクロンユニット）は、外形が略直方体状に形成され、装置本体部１Ａに対して着脱可能に構成されている。
図３は、トナー捕集ユニット１００を模式的に示す図である。図３に示すように、トナー捕集ユニット１００は、トナー処理部１１０と、オゾン処理部１２０とを備える。図３中において、トナー処理部１１０における空気の流れを模式的に一点鎖線の矢印で表し、オゾン処理部１２０における空気の流れを模式的に二点鎖線の矢印で表している。
【００４５】
トナー処理部１１０は、流入口１１１と、サイクロン部１１２と、トナー貯留部１１３と、空気流路部１１４と、フィルター部１１５と、流出口１１６とを具備している。
【００４６】
流入口１１１は、現像共通ダクト８１を通過してきたトナー含有空気を受け入れる受入口である。トナー捕集ユニット１００を装置本体部１Ａに装着すると、流入口１１１は、現像共通ダクト８１の接続口８１ａに対向する。これにより、サイクロン部１１２は、流入口１１１を介して現像共通ダクト８１の内部空間に連通される。
【００４７】
サイクロン部１１２は、現像共通ダクト８１を通過し、流入口１１１を介して流入されるトナー含有空気からトナーを遠心分離する。サイクロン部１１２は、円筒状に形成されており、軸方向が上下方向（重力が作用する方向）と一致している。
また、サイクロン部１１２は、トナー貯留部１１３側の開口部に向けて、当該サイクロン部１１２の内径が小さくなっていくように形成されている。
【００４８】
サイクロン部１１２に流入されたトナー含有空気は、サイクロン部１１２の内周の接線方向に進む。これにより、サイクロン部１１２の内部には、空気が旋回する旋回流れが発生する。
旋回流れにあるトナーは、物体が円運動することで作用する遠心力により半径方向に移動するため、大部分のトナーが空気から分離（遠心分離）される。サイクロン部１１２により分離されたトナーは、自重によって下方に落下し、トナー貯留部１１３内に貯留される。一方、空気は、サイクロン部１１２の円筒部分の下端側から当該サイクロン部１１２の内側に流入し、サイクロン部１１２の上側に設けられた空気流路部１１４の流入部１１４ａに入る。
【００４９】
空気流路部１１４は、サイクロン部１１２に連通する流入部１１４ａと、流入部１１４ａに連通するフィルター配設部１１４ｂとを具備している。
流入部１１４ａは、Ｕ字型のパイプ状に形成されており、サイクロン部１１２から流入される空気を上下反転させてフィルター配設部１１４ｂに導く。
【００５０】
フィルター配設部１１４ｂには、トナーをろ過するフィルター部１１５が配設されている。
フィルター部１１５は、サイクロン部１１２を通過した空気に含まれる僅かなトナーを捕集するものであり、これにより、フィルター部１１５を通過した空気が清浄化される。フィルター部１１５には、空気が通過する方向に、複数枚のトナー防塵フィルターが重ねられて配置されている。また、フィルター部１１５に、オゾン分解フィルターが含まれることとしてもよい。
【００５１】
フィルター部１１５を通過した空気は、空気の流れ方向下流側（サイクロン部１１２と反対側）に形成されている流出口１１６から現像吸引用ファン８２側に流出される。
このように、各現像吸引ダクト８０で吸引された空気は、現像共通ダクト８１、流入口１１１、サイクロン部１１２、流入部１１４ａ、フィルター配設部１１４ｂ（フィルター部１１５）及び流出口１１６を通過し、その後、現像吸引用ファン８２を通過して画像形成装置１の外部へ排出される。この各現像吸引ダクト８０から現像吸引用ファン８２に亘って、現像部３３から飛散したトナーを含む空気からトナーを分離するために空気の流れを導く経路を、現像吸引経路という。
【００５２】
現像吸引用ファン８２は、トナー貯留部１１３の近傍であって、トナー捕集ユニット１００のサイクロン部１１２とは反対側の側面に設けられている。現像吸引用ファン８２は、ダクト（現像吸引ダクト８０、現像共通ダクト８１）からフィルター部１１５に亘る空気の流れを発生させる。
【００５３】
オゾン処理部１２０は、流入口１２１と、空気流路部１２２と、フィルター部１２３と、流出口１２４とを具備している。
【００５４】
流入口１２１は、帯電共通ダクト９１を通過してきたオゾン含有空気を受け入れる受入口である。図３において、オゾン含有空気は、流入口１２１の奥側から手前側に流れ込む。
空気流路部１２２は、流入口１２１から流入した空気が通過する流路である。
空気流路部１２２には、フィルター部１２３が配設されている。
フィルター部１２３は、オゾン分解フィルターにより構成され、オゾン含有空気からオゾンを除去する。
【００５５】
フィルター部１２３を通過した空気は、空気の流れ方向下流側に形成されている流出口１２４からオゾン用ファン９２側に流出される。
このように、各帯電吸引ダクト９０で吸引された空気は、帯電共通ダクト９１、流入口１２１、フィルター部１２３及び流出口１２４を通過し、その後、オゾン用ファン９２を通過して画像形成装置１の外部へ排出される。この各帯電吸引ダクト９０からオゾン用ファン９２に亘って、帯電部３２において発生したオゾンを含む空気からオゾンを除去するために空気の流れを導く経路を、オゾン経路という。
【００５６】
トナー捕集ユニット１００内のオゾン経路（オゾン処理部１２０）は、トナー貯留部１１３の下側、かつ、電源２００（加熱源）（図１参照）の上側に配置されている。
【００５７】
トナー捕集ユニット１００は、サイクロン部１１２、トナー貯留部１１３、フィルター部１１５等を含むトナー処理部１１０と、オゾン処理部１２０とが一体となって形成されている。トナー貯留部１１３は、トナー捕集ユニット１００に対して着脱可能に構成されており、トナー貯留部１１３がトナーで満たされた満杯状態となった場合に、トナー貯留部１１３を独立して交換可能となっている。
【００５８】
電源２００は、画像形成装置１の電源であり、画像形成装置１を構成する各部に電力を供給する。電源２００は、トナー貯留部１１３の下側に配置されており、トナー貯留部１１３を加熱する加熱源として機能する。トナー貯留部１１３内のトナーは、約４０℃以上で融解する。トナー貯留部１１３内のトナーが融解することで、嵩密度が高くなり、トナー貯留部１１３内に貯留可能なトナー量が増える。
【００５９】
電源２００は、トナー貯留部１１３を加熱するが、サイクロン部１１２には熱が伝わらないように配置されていることが望ましい。
サイクロン部１１２が加熱されると、サイクロン部１１２内のトナーが融解してべたつき、トナー貯留部１１３側の開口部や内壁等に付着し、遠心分離が困難になる。そのため、サイクロン部１１２は、加熱源から離れていることが望ましい。また、従来は、サイクロン部１１２内に、空気の流れを整えるために軸棒部品が設けられていたが、本実施の形態では、軸棒部品が設けられていない。これにより、トナー貯留部１１３からの熱がサイクロン部１１２に伝わりにくくなる。
【００６０】
なお、加熱源として用いる電源２００は、画像形成装置１の一部の構成部品に電力を供給するものであってもよい。例えば、加熱源として用いる電源２００は、画像形成装置１の動作時に常時稼働しているユニット（操作表示部７０等）の電源であってもよい。また、加熱源として用いる電源２００は、現像吸引用ファン８２の電源であってもよい。
【００６１】
図４は、トナー貯留部１１３、サイクロン部１１２及びフィルター部１１５の配置を模式的に示す上面図である。トナー貯留部１１３の底面積は、サイクロン部１１２の底面積より大きい。また、トナー貯留部１１３の底面積は、フィルター部１１５の底面積より大きい。
【００６２】
図５は、トナー貯留部１１３及び電源２００の配置を模式的に示す上面図である。電源２００（加熱源）の底面積は、トナー貯留部１１３の底面積より大きい。
【００６３】
制御部５０は、現像吸引用ファン８２から出力されるパルス信号に基づいて、現像吸引用ファン８２の回転速度（単位時間あたりの回転数）を算出する。
画像形成装置１により画像形成が開始され、トナー貯留部１１３にトナーが貯留されていくとともにフィルター部１１５によりトナーが捕集されていくと、現像吸引用ファン８２を通過する空気の流量が減少していくため、所定の電圧で駆動している現像吸引用ファン８２は、回転負荷の減少に伴い、回転速度が上昇する。そして、トナー貯留部１１３がトナーで満たされた満杯状態となった後は、トナー貯留部１１３のトナーが巻き上がってフィルター部１１５に目詰まりが発生し、現像吸引用ファン８２の回転速度が急激に上昇する。
制御部５０は、現像吸引用ファン８２の回転速度の変化に基づいて、現像吸引用ファン８２の回転速度が所定値以上になった場合に、トナー貯留部１１３が満杯状態となったことを検出する。
【００６４】
以上説明したように、本実施形態によれば、電源２００（加熱源）により、飛散したトナーを回収するためのトナー貯留部１１３が加熱されるので、トナー貯留部１１３内のトナーが融解して密着することで、トナーの嵩密度を上げることができる。これにより、トナー貯留部１１３におけるトナーの貯留量を増加させることができる。したがって、トナー貯留部１１３のサイズを大きくすることなく、トナー貯留部１１３の使用可能時間をより長くすることができる。
【００６５】
なお、トナー貯留部１１３においてトナーが満杯状態となった際に、トナー捕集ユニット１００ごと交換するような構成となっている場合には、トナー貯留部１１３を含むユニット（トナー捕集ユニット１００）の使用可能時間をより長くすることができる。
【００６６】
また、トナー貯留部１１３におけるトナー貯留量を上げることにより、フィルター部１１５における目詰まりの発生を遅らせることができ、フィルター部１１５の使用可能時間も長くなる。
【００６７】
また、電源２００（加熱源）が、トナー貯留部１１３の下側に配置されているので、効率良くトナー貯留部１１３を温めることができる。
【００６８】
また、加熱源として電源２００を用いることで、加熱するためのみに使用される新たな部材を設ける必要がなくなる。例えば、加熱源として、画像形成装置１の動作時に常時稼働しているユニット（操作表示部７０等）の電源を用いることで、トナー貯留部１１３を常時温めておくことができる。また、加熱源として、現像吸引用ファン８２の電源を用いることで、トナー捕集ユニット１００にトナー含有空気が流入する際に、トナー貯留部１１３を温めることができる。
なお、加熱源として用いる電源２００は、オゾン用ファン９２の電源であってもよい。
【００６９】
また、サイクロン部１１２は、トナー貯留部１１３側の開口部に向けて、サイクロン部１１２の内径が小さくなっていくように形成されているので、トナー貯留部１１３からの熱がサイクロン部１１２に伝わりにくい。
【００７０】
また、現像吸引用ファン８２が、トナー貯留部１１３の近傍であって、トナー捕集ユニット１００のサイクロン部１１２とは反対側の側面に設けられているので、現像吸引用ファン８２によりトナー貯留部１１３からの熱を排熱するとともに、トナー貯留部１１３からの熱がサイクロン部１１２に伝わりにくくなる。
【００７１】
また、オゾン経路を、トナー貯留部１１３の下側、かつ、電源２００（加熱源）の上側に配置することで、電源２００からの熱がサイクロン部１１２に伝わりにくくなるとともに、オゾンの分解を促進することができる。これにより、オゾン経路中に設けられたフィルター部１２３の使用可能時間が長くなる。
なお、オゾン経路は、トナー貯留部１１３の下側でなくてもよく、水平方向においてトナー貯留部１１３に隣接する位置に設けられてもよい。
【００７２】
また、トナー貯留部１１３の底面積を、サイクロン部１１２やフィルター部１１５の底面積より大きくすることで、トナー貯留部１１３におけるトナー貯留量を確保することができる。
【００７３】
また、電源２００（加熱源）の底面積を、トナー貯留部１１３の底面積より大きくすることで、トナー貯留部１１３を効率良く温めることができる。
【００７４】
［変形例１］
変形例１では、加熱源の温度を変更可能とする。
制御部５０は、現像吸引用ファン８２の回転速度に応じて、電源２００（加熱源）の温度を変更する。すなわち、制御部５０は、温度変更部として機能する。
例えば、制御部５０は、現像吸引用ファン８２の回転速度がより速くなった場合、すなわち、トナー捕集ユニット１００に入ってくるトナー量が多くなった場合に、電源２００の温度をより高くし、トナー貯留部１１３におけるトナー貯留量を上げる。
【００７５】
現像吸引用ファン８２の回転速度が上昇する状況について説明する。フィルター部１１５によりトナーが捕集されていくと、現像吸引用ファン８２を通過する空気の流量が減少し、現像吸引用ファン８２の回転負荷が小さくなり、現像吸引用ファン８２の回転速度が上がる。
【００７６】
また、画像濃度（カバレッジ）に連動して、現像吸引用ファン８２の回転速度を制御する場合も考えられる。画像濃度が所定値以上の場合、現像部３３と感光体３１との間からの飛散トナー量が増えるため、制御部５０は、現像吸引用ファン８２の出力を１００％にする（例えば、デフォルト設定を８０％と仮定）。
【００７７】
変形例１によれば、現像吸引用ファン８２の回転速度に応じて、電源２００（加熱源）の温度を変更するので、トナーの量が多い場合に、その嵩密度を減らすことができる。
【００７８】
［変形例２］
変形例２では、加熱源からの熱をトナー貯留部１１３全体に伝えることとする。
図６に、変形例２におけるトナー捕集ユニット１００周辺の構成を示す。
電源２００（加熱源）とトナー貯留部１１３との間に、電源２００の熱を拡散して伝えるための拡散部品３００が配置されている。拡散部品３００は、板金により構成されている。
【００７９】
電源２００とトナー貯留部１１３との間には、拡散部品３００以外の部材が設けられていてもよい。図６に示す例では、電源２００とトナー貯留部１１３との間に、オゾン経路（オゾン処理部１２０）が設けられている。電源２００により拡散部品３００が加熱され、拡散部品３００全体に熱が拡散する。そして、拡散部品３００は、オゾン経路を介して、トナー貯留部１１３の底面に熱を伝える。
【００８０】
拡散部品３００は、少なくとも、トナー捕集ユニット１００の底面と加熱源との間に設けられていればよい。さらに、拡散部品３００がトナー捕集ユニット１００の底面からトナー捕集ユニット１００の側面まで連続して設けられていてもよい。ただし、サイクロン部１１２に対する加熱を回避するため、拡散部品３００は、サイクロン部１１２までは覆わないように配置されることが望ましい。
【００８１】
変形例２によれば、電源２００（加熱源）とトナー貯留部１１３との間に拡散部品３００が配置されることで、拡散部品３００が部分的に加熱された場合でも、拡散部品３００全体に熱が拡散して伝わり、トナー貯留部１１３全体を温めることができる。
【００８２】
なお、上記実施形態及び変形例１，２における記述は、本発明に係る画像形成装置の例であり、これに限定されるものではない。装置を構成する各部の細部構成及び細部動作に関しても本発明の趣旨を逸脱することのない範囲で適宜変更可能である。
【００８３】
例えば、上記実施形態及び変形例１，２では、加熱源として、電源２００を用いた場合について説明したが、トナー貯留部１１３を加熱する専用のヒーターを用いることとしてもよい。
【００８４】
また、上記実施形態及び変形例１，２では、オゾン経路を現像吸引経路とは別に設ける構成としたが、現像吸引経路がオゾン経路を兼ねていたり、オゾン経路が途中で現像吸引経路と合流したりしていてもよい。
【符号の説明】
【００８５】
１  画像形成装置
３０  画像形成部
３０Ｙ，３０Ｍ，３０Ｃ，３０Ｋ  画像形成ユニット
３１  感光体
３２  帯電部
３３  現像部
５０  制御部
６０  記憶部
８０  現像吸引ダクト
８１  現像共通ダクト
８２  現像吸引用ファン
９０  帯電吸引ダクト
９１  帯電共通ダクト
９２  オゾン用ファン
１００  トナー捕集ユニット
１１０  トナー処理部
１１２  サイクロン部
１１３  トナー貯留部
１１５  フィルター部
１２０  オゾン処理部
１２３  フィルター部
２００  電源
３００  拡散部品
【図１】
2020187283.tif 000003
【図２】
2020187283.tif 000004
【図３】
2020187283.tif 000005
【図４】
2020187283.tif 000006
【図５】
2020187283.tif 000007
【図６】
2020187283.tif 000008